【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ１から、前記端末Ｔ２の電話番号又はホスト名、及び接続要求を受け取り、前記サーバＳ１は、前記電話番号又はホスト名、及び前記接続要求をもとに、メッセージ１を形成してサーバＳ２に送り、
前記サーバＳ２は、着信通知を、前記端末Ｔ２に送り、
前記サーバＳ２は、呼出中通知を前記端末Ｔ２から受け取り、前記サーバＳ２は、前記呼出中通知をもとに、メッセージ２を形成して前記サーバＳ１に送り、
前記サーバＳ２は、前記端末Ｔ２から応答通知を受け取り、前記サーバＳ２は、前記応答通知を基に、メッセージ３を形成して前記サーバＳ１へ送り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記サーバＳ１は、前記端末Ｔ１から送られた通信解放要求をもとにメッセージ４を形成して前記サーバＳ２へ送り、前記網ノード装置Ｎ１及びＮ２は前記通信レコードＲ１及びＲ２の抹消を行い、前記通信パスＰ１２が抹消されることを特徴とする通信システム。
【請求項２】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ２の電話番号又はホスト名、及び接続要求を、前記端末Ｔ１から受け取り、
サーバＳ２は、着信通知を前記端末Ｔ２に送り、
前記サーバＳ２は、呼出中通知を前記端末Ｔ２から受け取り、
前記サーバＳ２は、応答通知を前記端末Ｔ２から受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は前記通信レコードＲ１をもとに、前記外部ＩＰパケットを内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記端末Ｔ１又はＴ２から送られた通信開放要求をもとに、前記網ノード装置Ｎ１及びＮ２は前記通信レコードＲ１及びＲ２の抹消を行い、前記通信パスＰ１２が抹消されることを特徴とする通信システム。
【請求項３】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ２の電話番号又はホスト名、及び接続要求を、前記端末Ｔ１から受け取り、
サーバＳ２は、呼出中通知を、前記端末Ｔ２から受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記端末Ｔ１又はＴ２から送られた通信解放要求をもとに、前記網ノード装置Ｎ１及びＮ２は前記通信レコードＲ１及びＲ２の抹消を行い、前記通信パスＰ１２が抹消されることを特徴とする通信システム。
【請求項４】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ２の電話番号又はホスト名、及び接続要求を、前記端末Ｔ１から受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記端末Ｔ１又はＴ２から送られた通信解放要求をもとに、前記網ノード装置Ｎ１及びＮ２は前記通信レコードＲ１及びＲ２の抹消を行い、前記通信パスＰ１２が抹消されることを特徴とする通信システム。
【請求項５】
前記通信システムは、公衆電話交換網と接続され、前記網ノード装置Ｎ１は、前記端末Ｔ１から前記音声又はデータを受け取り、前記公衆電話交換網を経由して、前記公衆電話交換網と接続された電話機に送る請求項１乃至４のいずれかに記載の通信システム。
【請求項６】
前記サーバＳ２に前記端末Ｔ２から前記呼出中通知が送られない請求項１乃至３のいずれかに記載の通信システム。
【請求項７】
前記サーバＳ１又はＳ２に、通信開始時刻、通信終了時刻が記録される請求項１乃至４のいずれかに記載の通信システム。
【請求項８】
前記サーバＳ１又はＳ２に、回線管理表が含まれ、前記回線管理表に、前記電話番号と、通信開始時刻及び通信終了時刻が記録される請求項１乃至４のいずれかに記載の通信システム。
【請求項９】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、端末Ｍ１が端末収容無線装置Ｒ１に接続され、
前記端末収容無線装置Ｒ１には無線インターフェイス変換部ＲＩＦ１及び無線送受信部ＲＢ１が含まれ、
前記端末Ｔ２に換えてゲートウェイＧ２が前記通信回線Ｌ２に接続され、無線送受信部Ｂ２が無線インターフェイス変換部ＩＦ２を経て前記ゲートウェイＧ２に接続され、
端末Ｍ２が端末収容無線装置Ｒ２に接続され、前記端末収容無線装置Ｒ２には無線インターフェイス変換部ＲＩＦ２及び無線送受信部ＲＢ２が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２、無線通信路ＲＬ２を経由して前記端末Ｍ２に送る請求項１乃至４のいずれかに記載の通信システム。
【請求項１０】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項１乃至３のいずれかに記載の通信システム。
【請求項１１】
前記サーバＳ２に前記端末Ｔ２から前記呼出中通知が送られない請求項１０に記載の通信システム。
【請求項１２】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項４に記載の通信システム。
【請求項１３】
統合ＩＰ転送網は複数の網ノード装置を含み、端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
前記統合ＩＰ転送網は、前記端末Ｔ２の電話番号又はホスト名、及び接続要求を、前記端末Ｔ１から受け取り、
前記統合ＩＰ転送網は、呼出中通知を前記端末Ｔ２から受け取り、
前記網ノード装置Ｎ１は通信レコードＲ１の設定を行い、
前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記網ノード装置Ｎ１及びＮ２は、前記端末Ｔ１又はＴ２から送られた通信開放要求をもとに前記通信レコードＲ１及びＲ２の抹消を行い、前記通信パスＰ１２が抹消されることを特徴とする通信システム。
【請求項１４】
前記統合ＩＰ転送網に前記端末Ｔ２から前記呼出中通知が送られない請求項１３に記載の通信システム
【請求項１５】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記端末Ｔ２に換えてゲートウェイＧ２が前記通信回線Ｌ２に接続され、無線送受信部Ｂ２が無線インターフェイス変換部ＩＦ２を経て前記ゲートウェイＧ２に接続され、
端末Ｍ２が端末収容無線装置Ｒ２に接続され、前記端末収容無線装置Ｒ２には無線インターフェイス変換部ＲＩＦ２及び無線送受信部ＲＢ２が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２、無線通信路ＲＬ２を経由して前記端末Ｍ２に送る請求項１３に記載の通信システム。
【請求項１６】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項１３に記載の通信システム。
【請求項１７】
前記統合ＩＰ転送網に端末Ｔ２から前記呼出中通知が送られない請求項１６に記載の通信システム。
【請求項１８】
統合ＩＰ転送網は複数の網ノード装置を含み、端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
前記統合ＩＰ転送網は、前記端末Ｔ２の電話番号又はホスト名、及び接続要求を、前記端末Ｔ１から受け取り、
前記網ノード装置Ｎ１は通信レコードＲ１の設定を行い、
前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記網ノード装置Ｎ１及びＮ２は、前記端末Ｔ１又はＴ２から送られた通信開放要求を基に前記通信レコードＲ１及びＲ２の抹消を行い、前記通信パスＰ１２が抹消されることを特徴とする通信システム。
【請求項１９】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記端末Ｔ２に換えてゲートウェイＧ２が前記通信回線Ｌ２に接続され、無線送受信部Ｂ２が無線インターフェイス変換部ＩＦ２を経て前記ゲートウェイＧ２に接続され、
端末Ｍ２が端末収容無線装置Ｒ２に接続され、前記端末収容無線装置Ｒ２には無線インターフェイス変換部ＲＩＦ２及び無線送受信部ＲＢ２が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２、無線通信路ＲＬ２を経由して前記端末Ｍ２に送る請求項１８に記載の通信システム。
【請求項２０】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声またはデータを受け取り、前記通信パスＰ１２、前記網ノード装置Ｎ２を経由して前記端末Ｔ２に送る請求項１８に記載の通信システム。
【請求項２１】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ１から、前記端末Ｔ２の電話番号又はホスト名、及び接続要求を受け取り、前記サーバＳ１は、前記電話番号又はホスト名、及び前記接続要求を基に、メッセージ１を形成してサーバＳ２に送り、
前記サーバＳ２は、着信通知を、前記端末Ｔ２に送り、
前記サーバＳ２は、呼出中通知を前記端末Ｔ２から受け取り、前記サーバＳ２は、前記呼出中通知を基に、メッセージ２を形成して前記サーバＳ１に送り、
前記サーバＳ２は、前記端末Ｔ２から応答通知を受け取り、前記サーバＳ２は、前記応答通知を基に、メッセージ３を形成して前記サーバＳ１へ送り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１をもとに、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記サーバＳ１は、前記端末Ｔ１から送られた通信解放要求をもとにメッセージ４を形成して前記サーバＳ２へ送り、前記網ノード装置Ｎ１及びＮ２は前記通信レコードＲ１及びＲ２の抹消を行い、前記通信パスＰ１２が抹消されることを特徴とする通信システム。
【請求項２２】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ２の電話番号又はホスト名、及び接続要求を、前記端末Ｔ１から受け取り、
サーバＳ２は、着信通知を前記端末Ｔ２に送り、
前記サーバＳ２は、呼出中通知を前記端末Ｔ２から受け取り、
前記サーバＳ２は、応答通知を前記端末Ｔ２から受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記端末Ｔ１又はＴ２から送られた通信開放要求をもとに、前記網ノード装置Ｎ１及びＮ２は前記通信レコードＲ１及びＲ２の抹消を行い、前記通信パスＰ１２が抹消されることを特徴とする通信システム。
【請求項２３】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ２の電話番号又はホスト名、及び接続要求を、前記端末Ｔ１から受け取り、
サーバＳ２は、呼出中通知を、前記端末Ｔ２から受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１をもとに、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記端末Ｔ１又はＴ２から送られた通信解放要求をもとに、前記網ノード装置Ｎ１及びＮ２は前記通信レコードＲ１及びＲ２の抹消を行い、前記通信パスＰ１２が抹消されることを特徴とする通信システム。
【請求項２４】
端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
サーバＳ１は、前記端末Ｔ２の電話番号又はホスト名、及び接続要求を、前記端末Ｔ１から受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１をもとに、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記端末Ｔ１又はＴ２から送られた通信解放要求をもとに、前記網ノード装置Ｎ１及びＮ２は前記通信レコードＲ１及びＲ２の抹消を行い、前記通信パスＰ１２が抹消されることを特徴とする通信システム。
【請求項２５】
前記通信システムは、公衆電話交換網と接続され、前記網ノード装置Ｎ１は、前記端末Ｔ１から前記音声又はデータを受け取り、前記公衆電話交換網を経由して、前記公衆電話交換網と接続された電話機に送る請求項２１乃至２４のいずれかに記載の通信システム。
【請求項２６】
前記サーバＳ２に前記端末Ｔ２から前記呼出中通知が送られない請求項２１乃至２３のいずれかに記載の通信システム。
【請求項２７】
前記サーバＳ１又はＳ２に、通信開始時刻、通信終了時刻が記録される請求項２１乃至２４のいずれかに記載の通信システム。
【請求項２８】
前記サーバＳ１又はＳ２に、回線管理表が含まれ、前記回線管理表に、前記電話番号と、通信開始時刻及び通信終了時刻が記録される請求項２１乃至２４のいずれかに記載の通信システム。
【請求項２９】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、端末Ｍ１が端末収容無線装置Ｒ１に接続され、
前記端末収容無線装置Ｒ１には無線インターフェイス変換部ＲＩＦ１及び無線送受信部ＲＢ１が含まれ、
前記端末Ｔ２に換えてゲートウェイＧ２が前記通信回線Ｌ２に接続され、無線送受信部Ｂ２が無線インターフェイス変換部ＩＦ２を経て前記ゲートウェイＧ２に接続され、
端末Ｍ２が端末収容無線装置Ｒ２に接続され、前記端末収容無線装置Ｒ２には無線インターフェイス変換部ＲＩＦ２及び無線送受信部ＲＢ２が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２、無線通信路ＲＬ２を経由して前記端末Ｍ２に送る請求項２１乃至２４のいずれかに記載の通信システム。
【請求項３０】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項２１乃至２３のいずれかに記載の通信システム。
【請求項３１】
前記サーバＳ２に前記端末Ｔ２から前記呼出中通知が送られない請求項３０に記載の通信システム。
【請求項３２】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項２４に記載の通信システム。
【請求項３３】
統合ＩＰ転送網は複数の網ノード装置を含み、端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
前記統合ＩＰ転送網は、前記端末Ｔ２の電話番号又はホスト名、及び接続要求を、前記端末Ｔ１から受け取り、
前記統合ＩＰ転送網は、呼出中通知を前記端末Ｔ２から受け取り、
前記網ノード装置Ｎ１は通信レコードＲ１の設定を行い、
前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記網ノード装置Ｎ１及びＮ２は、前記端末Ｔ１又はＴ２から送られた通信開放要求をもとに前記通信レコードＲ１及びＲ２の抹消を行い、前記通信パスＰ１２が抹消されることを特徴とする通信システム。
【請求項３４】
前記統合ＩＰ転送網に前記端末Ｔ２から前記呼出中通知が送られない請求項３３に記載の通信システム
【請求項３５】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記端末Ｔ２に換えてゲートウェイＧ２が前記通信回線Ｌ２に接続され、無線送受信部Ｂ２が無線インターフェイス変換部ＩＦ２を経て前記ゲートウェイＧ２に接続され、
端末Ｍ２が端末収容無線装置Ｒ２に接続され、前記端末収容無線装置Ｒ２には無線インターフェイス変換部ＲＩＦ２及び無線送受信部ＲＢ２が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２、無線通信路ＲＬ２を経由して前記端末Ｍ２に送る請求項３３に記載の通信システム。
【請求項３６】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項３３に記載の通信システム。
【請求項３７】
前記統合ＩＰ転送網に端末Ｔ２から前記呼出中通知が送られない請求項３６に記載の通信システム。
【請求項３８】
統合ＩＰ転送網は複数の網ノード装置を含み、端末Ｔ１は、通信回線Ｌ１を経て論理端子ＬＰ１で網ノード装置Ｎ１に接続され、端末Ｔ２は、通信回線Ｌ２を経て論理端子ＬＰ２で網ノード装置Ｎ２に接続され、
前記統合ＩＰ転送網は、前記端末Ｔ２の電話番号又はホスト名、及び接続要求を、前記端末Ｔ１から受け取り、
前記網ノード装置Ｎ１は通信レコードＲ１の設定を行い、
前記網ノード装置Ｎ２は通信レコードＲ２の設定を行い、前記論理端子ＬＰ１及びＬＰ２の間に内部パケットが転送される通信パスＰ１２が定められ、
前記端末Ｔ１から送られた、音声又はデータを含む外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記端末Ｔ２に送られ、
前記網ノード装置Ｎ１及びＮ２は、前記端末Ｔ１又はＴ２から送られた通信開放要求を基に前記通信レコードＲ１及びＲ２の抹消を行い、前記通信パスＰ１２が抹消されることを特徴とする通信システム。
【請求項３９】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記端末Ｔ２に換えてゲートウェイＧ２が前記通信回線Ｌ２に接続され、無線送受信部Ｂ２が無線インターフェイス変換部ＩＦ２を経て前記ゲートウェイＧ２に接続され、
端末Ｍ２が端末収容無線装置Ｒ２に接続され、前記端末収容無線装置Ｒ２には無線インターフェイス変換部ＲＩＦ２及び無線送受信部ＲＢ２が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２、無線通信路ＲＬ２を経由して前記端末Ｍ２に送る請求項３８に記載の通信システム。
【請求項４０】
前記端末Ｔ１に換えてゲートウェイＧ１が前記通信回線Ｌ１に接続され、無線送受信部Ｂ１が無線インターフェイス変換部ＩＦ１を経て前記ゲートウェイＧ１に接続され、
端末Ｍ１が端末収容無線装置Ｒ１に接続され、前記端末収容無線装置Ｒ１には無線インターフェイス変換部ＲＩＦ１及び無線送受信部ＲＢ１が含まれ、
前記網ノード装置Ｎ１は、前記端末Ｍ１から、無線通信路ＲＬ１を経由して前記音声又はデータを受け取り、前記通信パスＰ１２、前記網ノード装置Ｎ２を経由して前記端末Ｔ２に送る請求項３８に記載の通信システム。